(57)【特許請求の範囲】
【請求項１】
車両の車室内側に開口部を有するケースと、該ケースの開口部から出し入れ自在に収納されると共に、該ケースから突出した状態では、容器の下面を支持する略円弧状に形成された底面部を有するベース部と、該ベース部の前記ケース内への収納に伴ってケース内に収納されると共に、該ケース内に収納された状態では、前記ベース部と近接されて重ね合わされる一方、該ケースから突出した状態では、前記ベース部と離間した位置で、前記容器の側面を支えるリング部と、該リング部には、前記ベース部が収納される際に、前記ケース周縁に当接して該リング部を折り畳む当接片部を一体に形成し、該当接片部の下方に、前記ベース部が突出した状態で、該リング部と、前記ベース部との間に介在して、該リング部の垂下を防止する垂下防止突起部を一体に形成することを特徴とするドリンクホルダ構造。
【請求項２】
前記ベース部の左，右両側縁には、前記ケースの上面部との間に前記リング部収納空間を形成するよう所定高さの左，右側壁部を設けると共に、該左，右側壁部の上面部に、前記垂下防止突起部を当接させることを特徴とする請求項１記載のドリンクホルダ構造。
【請求項３】
前記ベース部には、ケース内に収納された状態で、前記垂下防止突起部の当接を回避する回避孔部が形成されていることを特徴とする請求項１又は２記載のドリンクホルダ構造。
【請求項４】
前記ケース周縁には、前記当接片部が接触する面を上下方向で略同一高さとして、リング部突設状態から収納状態に移行する間に、該リング部の傾きを防止する接触部が形成されていることを特徴とする請求項１乃至３のうちいづれか一項記載のドリンクホルダ構造。
【請求項５】
前記接触部は、接触する上部を凹部とすることを特徴とする請求項４記載のドリンクホルダ構造。
【請求項６】
前記接触部は、接触する下部を凸部とすることを特徴とする請求項４又は５記載のドリンクホルダ構造。
【発明の詳細な説明】
【０００１】
【発明の属する技術分野】
この発明は、車両の車室内側のダッシュボード近傍に設けられて、飲料の入った容器を保持するドリンクホルダ構造に関するものである。
【０００２】
【従来の技術】
従来の車両用のドリンクホルダ１としては、例えば、図１７に示す様なものが知られている。
【０００３】
このようなドリンクホルダ１は、主に容器２の下面２ａを支えるベース部３と、容器２の上下方向中間部に形成された括れ部２ｂを支えるリング部４とから構成されている。このリング部４の周辺に設けられた軸部５方向からは、リング部４の内側へ突出する保持部６が設けられている。この保持部６には、図省略のスプリング力によって先端５ａで、前記容器２をリング部４の内側４ａに押しつけて保持する容器保持板５が設けられている。
【０００４】
このように構成された従来のドリンクホルダ１では、リング部４内に上方から容器２が挿通されると、前記容器２の下面２ａは、下方から支持されると共に、リング部４の内側４ａに、前記容器保持板５の先端５ａが、付勢力で押しつけられて保持される。
【０００５】
なお、他のこの種のものとしては、実開平６−５９１３２号公報に記載されているようなものが知られている。
【０００６】
【発明が解決しようとする課題】
しかしながら、このような従来のドリンクホルダ構造では、容器２の大きさや重さによっては、図中実線で示すように、リング部４が垂れ下がってしまう虞があった。
【０００７】
このため、ストッパを設けてリング部４を係止することも考えられるが、前記ベース部３及び前記リング部４をダッシュボード内に重ね合わせた状態で、効率よく収納しようとすると、該ストッパが干渉する虞があった。
【０００８】
そこで、本発明の目的は、上記の問題点を解消し、リング部が垂れ下がる虞が無く、収納状態では、省スペース化を図ることが出来るドリンクホルダ構造を提供することにある。
【０００９】
【課題を解決するための手段】
上記課題を解決するために、請求項１に記載された発明では、車両の車室内側に開口部を有するケースと、該ケースの開口部から出し入れ自在に収納されると共に、該ケースから突出した状態では、容器の下面を支持する略円弧状に形成された底面部を有するベース部と、該ベース部の前記ケース内への収納に伴ってケース内に収納されると共に、該ケース内に収納された状態では、前記ベース部と近接されて重ね合わされる一方、該ケースから突出した状態では、前記ベース部と離間した位置で、前記容器の側面を支えるリング部と、該リング部には、前記ベース部が収納される際に、前記ケース周縁に当接して該リング部を折り畳む当接片部を一体に形成し、該当接片部の下方に、前記ベース部が突出した状態で、該リング部と、前記ベース部との間に介在して、該リング部の垂下を防止する垂下防止突起部を一体に形成するドリンクホルダ構造を特徴としている。
【００１０】
このように構成された請求項１記載のものでは、容器が、前記リング部内に挿通されて、側面が該リング部で支持されると、該容器の重みで、前記リング部に下方向の力が作用する。この際、前記当接片部の下方に一体に形成された垂下防止突起部が、前記ベース部に当接して該リング部の垂れ下がりを防止する。
【００１１】
また、請求項２に記載されたものでは、前記ベース部の左，右両側縁には、前記ケースの上面部との間に前記リング部収納空間を形成するよう所定高さの左，右側壁部を設けると共に、該左，右側壁部の上面部に、前記垂下防止突起部を当接させる請求項１記載のドリンクホルダ構造を特徴としている。
【００１２】
このように構成された請求項２記載のものでは、左，右側壁部によって形成された空間内に収納効率よく、前記リング部がベース部と近接されて重ね合わされて収納される。
【００１３】
また、該左，右側壁部の上面部に、前記垂下防止突起部が当接されるので、前記垂下防止突起部の突設量を減少させることが出来る。このため、この点においても収納効率を向上させることが出来る。
【００１４】
そして、請求項３に記載されたものでは、前記ベース部には、ケース内に収納された状態で、前記垂下防止突起部の当接を回避する回避孔部が形成されている請求項１又は２記載のドリンクホルダ構造を特徴としている。
【００１５】
このように構成された請求項３記載のものでは、前記ベース部に形成された回避孔部に収納状態で、前記垂下防止突起部が挿通されて、当接が回避される。このため、該リング部と前記ベース部とを重ね合わせた状態でも収納出来、収納状態で省スペース化を図ることが出来る。
【００１６】
また、請求項４に記載されたものでは、前記ケース周縁には、前記当接片部が接触する面を上下方向で略同一高さとして、リング部突設状態から収納状態に移行する間に、該リング部の傾きを防止する接触部が形成されている請求項１乃至３のうちいづれか一項記載のドリンクホルダ構造を特徴としている。
【００１７】
このように構成された請求項４記載のものでは、前記ケース周縁に形成された接触部が、前記当接片部が接触する際、上下方向で略同一高さの面で当接して、リング部突設状態から収納状態に移行する間に、該リング部の傾きが防止される。このため、略直線的にリング部を収納して更に、収納効率を良好なものとすることが出来る。
【００１８】
更に、請求項５に記載されたものでは、前記接触部は、上部を凹部とする請求項４記載のドリンクホルダ構造を特徴としている。
【００１９】
このように構成された請求項５記載のものでは、前記接触部が、上部を凹部とするように構成されているので、該接触部が、ダッシュボードに沿って斜めに傾斜していても、容易な成形で、上下方向で略同一高さの面を得られる。
【００２０】
また、請求項６記載のものでは、前記接触部は、下部を凸部とする請求項４又は５記載のドリンクホルダ構造を特徴としている。
【００２１】
このように構成された請求項６記載のものでは、前記接触部は、下部を凸部とするように構成されているので、該接触部が、ダッシュボードに沿って斜めに傾斜していても、容易な成形で、上下方向で略同一高さの面を得られる。
【００２２】
【発明の実施の形態１】
以下、本発明の具体的な実施の形態１について、図示例と共に説明する。
【００２３】
図１乃至図１６は、この発明の実施の形態１を示すものである。なお、前記従来例と同一乃至均等な部分については同一符号を付して説明する。
【００２４】
まず、構成を説明すると、この実施の形態１のドリンクホルダ構造では、ドリンクホルダ１０が、主に車両の車室前部に形成されたダッシュボードに設けられ、車室内側に開口部１１ａを有するケース１１を有している。このケース１１の開口部１１ａからは、略円弧状に形成された底面部１９の左，右両側縁に所定高さ立設される左，右側壁部１８，１８にスライドガイドされて、ベース部１２が出し入れ自在となるように収納されている。このベース部１２は、該ケース１１から突出した状態で、前記容器２の下面２ａを支持する略平板状の容器支持面部１２ａ，１２ａを有すると共に、該容器支持面１２ａの裏面側には、前記ケース１１内に突出させた状態で、前記開口部１１ａを閉塞する蓋部１２ｂが設けられている。
【００２５】
また、このドリンクホルダ１０には、左，右一対のリング部１３，１３及び対応する容器保持板１４，１４で主に構成される保持部１６，１６が設けられている。このうち、リング部１３には、軸方向を略上下方向に向ける回動軸部２０が設けられている。
【００２６】
そして、ベース部１２の前記ケース１１内への収納に伴って、前記ケース１１の周縁である左，右上部に形成された接触部２１，２１に対して各々一体に形成された当接片部２２，２２を当接させることによりケース１１内に、水平方向に対向しながら回動して収納されると共に、ケース１１内に収納された状態では、前記ベース部１２と近接されて重ね合わされる。この当接片部２２は、前記リング部１３の回動軸部２０近傍の付け根１３ａに後側方に突設されて一体に形成されている。
【００２７】
一方、前記蓋部１２ｂを開くと、このケース１１から、前記回動軸部２０周縁に設けられたバネ部材２０ａの付勢力で、これらのリング部１３，１３が相互に離反する方向に、突出し、突出した状態では、図５に示すように、前記ベース部１２と所定距離ｈ離間した位置で、前記容器の上下方向略中間位置の側面を支えるように構成されている。
【００２８】
例えば、図５中二点鎖線に示すような上下方向略中間位置に括れ部２ｂを有する容器２では、上下方向中間部に形成されたこの括れ部２ｂを支えるように構成されている。
【００２９】
このリング部４の周辺には、前記容器保持板１４が軸部１５を回動中心として、回動自在に設けられ、上方に向けて、略水平位置に至るまで図示省略のスプリングによって付勢されている。
【００３０】
この容器保持板１４は、リング部４の内側へ突出すると共に、前記スプリング力によって、先端１７が、前記容器２をリング部１３の内側１３ａに押しつけて、容器２を保持するように構成されている。
【００３１】
前記当接片部２２の下方には、前記ベース部１２がケース１１から突出した状態で、このリング部１３と、ベース部１２との間に介在する垂下防止突起部２３が、一体に形成されている。この垂下防止突起部２３は、リング部１３よりも後方位置で、前記回動軸部２０の車両前後方向略真下位置に、側面視で略直角三角形形状で、しかも、水平断面形状を略Ｔ字形状となるように形成されている。
【００３２】
この垂下防止突起部２３は、前記左，右側壁部１８の上面部１８ａから所定のクリアランスＬ１を有してリング部１３に下方向の力が作用した場合に当接するように構成されている。この実施の形態１では、クリアランスＬ１＝約２．０ｍｍと設定している。
【００３３】
また、この実施の形態１では、前記ベース部１２の底面部１９左，右両側縁近傍に、収納状態で、前記垂下防止突起部２３を挿通して回避する回避孔部２４，２４が一対形成されている。
【００３４】
更に、この実施の形態１では、図３に示すように、前記接触部２１が、前記車両のダッシュボードに沿って車両後方へ上部を傾斜させて形成させると共に、前記当接片部２２の当接面２２ａのうち、上縁２２ｂを凹部２１ｂに接触させるように構成されている。
【００３５】
また、この当接面２２ａの上下方向の略中央部２２ｃを、前記凹部２１ｂ接触位置と上下方向で略同一高さとする凸部２１ｂに接触させることにより、リング部１３突設状態から収納状態に移行する間に、このリング部１３の傾きが防止されるように構成されている。
【００３６】
次に、この実施の形態１の作用について説明する。
【００３７】
この実施の形態１のドリンクホルダの容器保持構造では、突出状態では、図５に示すように容器２が、前記リング部１３内に挿通されて、側面２ｂがリング部１３で支持されると、この容器２の重みで、前記リング部１３に下方向の力が作用する。この際、前記当接片部２２の下方に一体に形成された垂下防止突起部２３が、前記ベース部１２の左，右側壁部１８，１８の上面部１８ａに当接して該リング部１３の垂れ下がりが防止される。
【００３８】
この実施の形態１では、前記垂下同士突起部２３が前記リング部１３の回動軸２０近傍の付け根１３ａに後側方に突設された当接片部２２の下方に一体に形成されているので、前記回動軸２０を支点とした垂れ下がりが、付け根部１３ａ近傍で防止されて、リング部１３の先端が大きく垂れ下がることがない。
【００３９】
また、この実施の形態１では、左，右側壁部１８，１８の上面部１８ａ，１８ａに、前記垂下防止突起部２３，２３が当接される。この上面部１８ａは、左，右側壁部１８の高さによって前記底面部１９よりも高い位置に形成されている。このため、前記垂下防止突起部２３の下方への突設量を減少させることが出来る。このため、この点においても収納効率を向上させることが出来る。
【００４０】
次に、この突出状態から、収納状態への移行について説明する。
【００４１】
前記ベース部１２の蓋部１２ｂを前記ケース部１１の開口部１１ａを閉塞するように移動させると、前記左，右側壁部１８，１８は、ケース部１１側壁面に沿って内部にスライド移動する。
【００４２】
この際、前記ケース周縁に形成された接触部２１が、前記当接片部２２を、上下方向で略同一高さの面で当接させて、リング部１３が突設状態から収納状態に移行する間における該リング部１３の傾きが防止される。このため、略直線的にリング部１３，１３を収納して更に、収納効率を良好なものとすることが出来る。
【００４３】
前記接触部２１は、図３に示すように、上部を凹部２１ａとすると共に、下部を凸部２１ｂとするように構成されているので、接触部２１が、ダッシュボードに沿って斜めに傾斜していても、容易な成形で、上下方向で略同一高さの面を得られる。
【００４４】
前記リング部１３，１３は図１中白抜き矢印に示すように対向して上，下に重なり合うように収納される。この際、図４に示すように、前記ベース部１２の底面部１９に形成された回避孔部２４，２４に、前記垂下防止突起部２３，２３が挿通されて、回避され、図８中破線で示すように、回避孔部２４，２４内に前記垂下防止突起部２３，２３が位置する。このため、リング部１３と前記ベース部１２とを重ね合わせた状態で、コンパクトにケース１１内に収納出来る。
【００４５】
この収納状態では、左，右側壁部１８，１８によって形成されたケース１１内空間に収納効率よく、左，右の前記リング部１３，１３が、ベース部１２と近接されて重ね合わされて収納される。 従ってダッシュボード周縁の省スペース化を図ることが出来る。
【００４６】
以上、この発明の実施の形態１を図面により詳述してきたが、具体的な構成はこの実施の形態１に限らず、この発明の要旨を逸脱しない範囲の設計の変更等があってもこの発明に含まれる。
【００４７】
例えば、前記実施の形態１では、例えば、前記実施の形態１では、ドリンクホルダ１０にリング部１３，１３を一対設けたものを示して説明してきたが、特にこれに限らず、例えば、リング部１３が、単体或いは３個以上の複数であっても良い。
【図面の簡単な説明】
【図１】本発明の実施の形態１のドリンクホルダ構造で、全体の構成を説明する斜視図である。
【図２】実施の形態１のドリンクホルダ構造で、要部の構成を説明する斜視図である。
【図３】実施の形態１のドリンクホルダ構造で、開口部周縁の接触部に、当接片部の当接面が当接した様子を説明する部分拡大断面図である。
【図４】実施の形態１のドリンクホルダ構造で、突出状態での正面図である。
【図５】実施の形態１のドリンクホルダ構造で、突出状態での側面図である。
【図６】実施の形態１のドリンクホルダ構造で、ケースからベース部及びリング部が突出させた状態を示す側面図である。
【図７】実施の形態１のドリンクホルダ構造で、収納状態での側面図である。
【図８】実施の形態１のドリンクホルダ構造で、収納状態での下面図である。
【図９】実施の形態１のドリンクホルダ構造で、収納状態での上面図である。
【図１０】実施の形態１のドリンクホルダ構造で、収納状態での正面図である。
【図１１】実施の形態１のドリンクホルダ構造に用いられるリング部の下面図である。
【図１２】実施の形態１のドリンクホルダ構造で、リング部の回動軸部周縁の拡大図である。
【図１３】実施の形態１のドリンクホルダの容器保持構造に用いられるリング部の上面図である。
【図１４】実施の形態１のドリンクホルダの容器保持構造で、図１３中Ａ−Ａ線に沿った位置での断面図である。
【図１５】実施の形態１のドリンクホルダの容器保持構造で、図１３中白抜き矢印Ｂ方向から見たリング部の側面図である。
【図１６】実施の形態１のドリンクホルダの容器保持構造で、図１３中Ｃ−Ｃ線に沿った位置での断面図である。
【図１７】従来例のドリンクホルダ構造で、横から見たリング部の垂れ下がりの様子を説明する模式図である。
【符号の説明】
１０          ドリンクホルダ
１１          ケース
１１ａ        開口部
１２          ベース部
１３          リング部
１３ａ        内側
１８          左，右側壁部
１８ａ        上面部
１９          底面部
２０          回動軸部
２１          接触部
２１ａ        凹部
２１ｂ        凸部
２２          当接片部
２２ａ        当接面
２３          垂下防止突起部
２４          回避孔部
【図１】
0003644341.tif 000002
【図２】
0003644341.tif 000003
【図３】
0003644341.tif 000004
【図４】
0003644341.tif 000005
【図５】
0003644341.tif 000006
【図６】
0003644341.tif 000007
【図７】
0003644341.tif 000008
【図８】
0003644341.tif 000009
【図９】
0003644341.tif 000010
【図１０】
0003644341.tif 000011
【図１１】
0003644341.tif 000012
【図１２】
0003644341.tif 000013
【図１３】
0003644341.tif 000014
【図１４】
0003644341.tif 000015
【図１５】
0003644341.tif 000016
【図１６】
0003644341.tif 000017
【図１７】
0003644341.tif 000018